(57)【要約】      （修正有）【課題】温水タンクの高容量化と小型化と設計の自由度の向上、組立性やメンテナンス性の向上と車内レイアウトの自由度の向上とを図り、必要量の適温のお湯が常時確保されるようにする浴槽搭載車両を提供する。【解決手段】循環ポンプ１９が作動することによって、貯湯タンク９から湯水が供給される被加熱回路１８と、ラジエターを第１熱源とする第１加熱回路２１と、ヒータを第２熱源とする第２加熱回路２２と、から構成される熱交換器１４を、貯湯タンク９の外に設置する。【選択図】図２
0003106149.tif 000002
【実用新案登録請求の範囲】
【請求項１】
循環ポンプが作動することによって、貯湯タンクから湯水が供給される被加熱回路と、
ラジエターを第１熱源とする第１加熱回路と、
ヒータを第２熱源とする第２加熱回路と、
から構成される熱交換器が、
前記貯湯タンクの外に設置されていることを特徴とする浴槽搭載車両。
【請求項２】
前記貯湯タンクに設置されて貯留された湯水の温度を検出する温度センサと、
前記循環パイプに付設されて前記熱交換器と前記貯湯タンクとの間で湯水を循環させる前記循環ポンプと、
湯水温度を設定するとともに前記温度センサから出力される前記貯湯タンク内の湯水温度出力に基づいて前記ポンプの動作制御を行う制御部とを備え、
前記貯湯タンク内と前記熱交換器との間に湯水を循環させて、前記貯湯タンク内に所定温度の湯水が貯湯されるようにすることを特徴とする請求項１に記載の浴槽搭載車両。
【請求項３】
前記熱交換器にプレート型熱交換器が用いられることを特徴とする請求項１又は請求項２に記載の浴槽搭載車両。
【考案の詳細な説明】
【技術分野】
【０００１】
本考案は、浴槽と所定温度に加温したお湯を貯湯する貯湯タンクとを搭載して、適宜の場所へと移動して入浴サービスや湯灌サービス等を行う浴槽搭載車両に関する。
【背景技術】
【０００２】
老人等の介護サービスとして、介護を要する寝たきり老人等に対する入浴サービスが行われている。また、自宅での葬儀に際して、納棺に先立って「湯灌の儀」と称される遺体を洗い清める湯灌サービスが行われている。かかる入浴サービスや或いは湯灌サービスには、貯湯タンクと浴槽とを搭載した浴槽搭載車両が用いられ、所定の場所へと赴いて搭載した浴槽を室内等に運び込んで設置するとともに浴槽内に貯湯タンクから給湯を行う。
【０００３】
出願人は、下記特許文献１によって湯灌車を提供した。この湯灌車は、携帯清浄槽と、貯湯タンクと、排水タンクとを搭載し、所定の場所に設置した携帯清浄槽に貯湯タンクから給湯を行うとともに遺体の洗浄が完了すると排水ポンプにより携帯清浄槽から汚水を排水タンクに回収する。湯灌車は、貯湯タンク内に熱源部を設けて、この熱源部により貯湯タンク内に注入された水を所定の温度まで昇温させる。
【０００４】
熱源部は、例えば両端をラジエターの循環ポンプの出入り部とそれぞれ接続されて全体で閉ループを構成する銅パイプの一部にコイル状に巻回した熱源部を形成し、この熱源部を貯湯タンク内に取り付けて構成される。熱源部は、ラジエター内を通過することによって加熱されたラジエター液が銅パイプの内部を循環することによって、貯湯タンク内において熱交換作用により注入された水を昇温させる。なお、湯灌車においては、エンジンが停止中であったり氷点下の環境等で貯湯タンク内の湯温が充分に上がらないような場合の対応として、荷台室外に適宜のヒータが予備的に設けられるが、このヒータによってさらにもう１つの銅パイプをコイル状に巻回した熱源部を形成し、このもう１つの熱源部も同様に貯湯タンク内に取り付けて構成される。
【特許文献１】特開平８−２３８９７２号公報
【考案の開示】
【考案が解決しようとする課題】
【０００５】
浴槽搭載車輌においては、狭い車内に多数の装置をスペース効率を図るとともに操作性を向上して搭載する必要がある。従来の浴槽搭載車においては、ラジエター及びヒータと接続した銅パイプをそれぞれ貯湯タンクまで引き回すとともに、この貯湯タンクの内部に熱源部を設置することから組立効率が悪いといった問題があった。また、従来の浴槽搭載車両においては、貯湯タンクの内部に複数のコイル状の熱源部を設置したことにより、走行時の車体の揺れによる貯湯タンク内における熱源部の不具合が発生することがあり、その修理及び予防のためのメンテナンス作業が、車内という極めて狭い空間に位置する貯湯タンクの内部で行われるため、非常に困難であるといった問題があった。
【０００６】
また、熱交換効率を確保するためには、コイル状銅パイプの表面積も一定条件で確保しなくてはならず、そのためにはコイル長を確保しなくてはならないため、高さを抑制すればコイル直径を大きくする必要があり、逆に直径を小さくするためには高さが必要になるというタンクの設計上の制約があった。その上、貯湯タンク内の湯水の容量も確保しなければならないため、貯湯タンクを大型化させてしまい、浴槽搭載車両の車内の限られたスペースを効率よくレイアウトできないという問題もあった。
【０００７】
したがって、本考案は、貯湯タンクの容量を確保しながらその小型化を図り、組立性やメンテナンス性の向上を図るとともに車内レイアウトの自由度の向上を図り、必要量の適温の湯水が常時確保されるようにする浴槽搭載車両を提供することを目的に提案されたものである。
【課題を解決するための手段】
【０００８】
上述した目的を達成する本考案にかかる浴槽搭載車両は、循環ポンプが作動することによって、貯湯タンクから湯水が供給される被加熱回路と、ラジエターを第１熱源とする第１加熱回路と、ヒータを第２熱源とする第２加熱回路と、から構成される熱交換器が、貯湯タンクの外に設置されて構成される。
【０００９】
以上のように構成された本考案にかかる浴槽搭載車両においては、貯湯タンクに注水された用水が、循環パイプによってこの貯湯タンクと熱交換器との間を循環される。浴槽搭載車両においては、第１加熱回路又は第２加熱回路によって熱源が供給された熱交換器によって用水の加熱が行われて、貯湯タンク内に所定温度のお湯が貯湯される。浴槽搭載車両においては、所定の場所で載置部から浴槽が降ろされて室内等に運び込まれて設置されるとともに、この浴槽内に給湯ホースにより貯湯タンクからお湯を給湯する。浴槽搭載車両においては、用済み後に浴槽に排水ホースが接続され、この排水ホースを介して槽内から抜かれた汚水が排水タンクに貯留される。なお、汚水については、特に支障が無い使用形態である場合に、排水ホースを介して下水口等に直接排水するようにしてもよい。
【００１０】
浴槽搭載車両においては、熱交換器を貯湯タンクの外部に設置したことにより、貯湯タンクの高さや面積など形状の制限がなくなり、コンパクトな形状でありながら、充分な量の湯水が確保されるようになる。浴槽搭載車両においては、熱交換器や貯湯タンクによる制約条件が緩和されることによって、組立性やメンテナンス性を考慮して各構成装置が車内に最適にレイアウトして設置される。
【００１１】
また、本考案にかかる浴槽搭載車両は、貯湯タンクに設置されて貯留された湯水の温度を検出する温度センサと、循環パイプに付設されて熱交換器と貯湯タンクとの間で湯水を循環させる循環ポンプと、湯水温度を設定するとともに温度センサから出力される貯湯タンク内の湯水温度出力に基づいてポンプの動作制御を行う制御部とを備えて構成される。
【００１２】
さらに、本考案にかかる浴槽搭載車両は、熱交換器に、貯湯タンクの外に設置されたプレート型熱交換器が用いられる。浴槽搭載車両においては、熱交換効率が高く小型かつ薄型のプレート型熱交換器が用いられることによって、車内のスペース効率の向上が図られるとともに貯湯タンク内に常時所定温度のお湯が充分な必要量で貯湯される。
【考案の効果】
【００１３】
以上のように構成された本考案にかかる浴槽搭載車両によれば、熱交換器を貯湯タンクの外部に設置することから、貯湯タンクの高さや面積など形状の制限がなくなりコンパクトな形状でありながら充分な量の適温の湯水を貯湯タンク内に貯湯することが可能となる。浴槽搭載車両においては、熱交換器や貯湯タンクによる制約条件が緩和されることから、組立性やメンテナンス性を考慮して各構成装置を車内に最適にレイアウトして設置することが可能となる。
【００１４】
また、本考案にかかる浴槽搭載車両によれば、貯湯タンク内のお湯の温度を温度センサによって検出して循環ポンプの制御を行うとともに、貯湯タンクの外に設置された熱交換効率が高く小型かつ薄型のプレート型熱交換器を用いることから、貯湯タンク内に常時適温の湯水を貯湯することが可能となるとともに、車内のスペース効率の向上が図られるようになる。
【考案を実施するための最良の形態】
【００１５】
以下、本考案の実施の形態として示す浴槽搭載車両について、図面を参照して詳細に説明する。実施の形態は、葬儀に際して納棺に先立って行われる湯灌の儀に用いられる洗浄槽を運搬して設置する湯灌車１を示す。なお、本考案は、かかる湯灌車１に限定されるものでは無く、例えば寝たきり老人等に対する入浴サービスを提供する浴槽運搬車等のように所定の場所に浴槽を運搬して用いる各種の用途に好適に用いられる。
【００１６】
湯灌車１は、図１及び図２に示すようにワゴン車を改造して製造され、天板２で仕切られた荷台部位の上部空間部３内の中央部に図示しないロック機構によって長さ方向の向きで固定して柩４が搭載される。湯灌車１は、上部空間部３の側方部位に配置して、真空ポンプ５とコントロールボックス６とが搭載される。
【００１７】
湯灌車１は、図１及び図２に示すように、荷台部位の下部空間部７の中央部に図示しないロック機構によって長さ方向の向きで固定して洗浄槽８が搭載される。湯灌車１は、洗浄槽８と運転席との間に位置して、幅方向の向きで貯湯タンク９が搭載されるとともに、この貯湯タンク９に付設して給湯ポンプ１０が搭載される。湯灌車１は、洗浄槽８を挟んだ一方の側面部位に、運転席側から後方へと向かってヒータ１１と、第１排水タンク１２と、排水ホースリール１３とがこの順序に並べられて搭載される。湯灌車１は、洗浄槽８を挟んだ他方の側面部位に、運転席側から後方へと向かって熱交換器１４と、第２排水タンク１５と、給湯ホースリール１６とがこの順序に並べられて搭載される。
【００１８】
湯灌車１には、図３に示すように貯湯タンク９に付設されて貯湯されたお湯の温度を検知する湯温検知器１７が設けられている。湯灌車１には、詳細を後述するように貯湯タンク９と熱交換器１４との間に配管された循環パイプ１８を介してこれら貯湯タンク９と熱交換器１４とにお湯を循環させる循環ポンプ１９が設けられている。湯灌車１は、エンジンを冷却するラジエター２０と熱交換器１４とを接続することによって、ラジエター２０から熱交換器１４に熱源を供給する第１加熱回路２１を備える。湯灌車１は、ヒータ１１と熱交換器１４とを接続することにより、ヒータ１１から熱交換器１４に熱源を供給する第２加熱回路２２を備える。
【００１９】
湯灌車１は、ワゴン車の荷台部位を天板２で仕切って上部空間部３と下部空間部７とを構成するようにしたが、かかる仕切構造に限定されるもので無いことは勿論である。湯灌車１は、湯灌の儀に引き続いて行われる納棺用の柩４を運搬する運搬車も兼ねるために柩４の搭載スペースが設けられている。湯灌車１は、入浴サービス用の浴槽運搬車として用いられる場合に、かかる柩４の搭載スペースを不要とすることは勿論である。
【００２０】
真空ポンプ５は、コントロールボックス６からの出力信号によって駆動され、後述するように用済み後に第１排水タンク１２或いは第２排水タンク１５の内部圧力を減圧することによって洗浄槽８内から汚水をこれら第１排水タンク１２或いは第２排水タンク１５へと排水する。真空ポンプ５は、図示を省略するが第１排水タンク１２や第２排水タンク１５内に設けられた水面感知器が満杯状態を検出することでコントロールボックス６から出力される制御信号に基づいてその動作が停止されるとともに、濾過器が設けられて排気中に混在した水分等が除去されるようにする。
【００２１】
コントロールボックス６は、詳細を省略するが、１０キーや各種の設定キー或いは表示器やＣＰＵ等が設けられている。コントロールボックス６は、貯湯タンク９内の湯水温度を設定し、湯温検知器１７からの検出出力に基づいて循環ポンプ１９の動作、非動作の制御をする。コントロールボックス６は、給湯ポンプ１０の動作を制御して洗浄槽８への給湯、停止の動作を制御する。
【００２２】
洗浄槽８は、湯灌車１が現地に到着すると上部空間部３から降ろされて室内等に運び込まれて設置される。洗浄槽８は、例えば強化プラスチック等によって成形され、遺体を横たえて全身を浸からせることが可能な大きさを有している。洗浄槽８には、詳細を省略するが底部の四隅に脚２３ａ〜２３ｄが取り付けられるとともに水抜き栓２４が設けられている。洗浄槽８については、例えば長さ方向の中央部において２つ折りされるように構成されていてもよい。
【００２３】
貯湯タンク９は、保温特性や耐腐食特性に優れた例えばステンレス材等によって形成され、洗浄槽８内に所定量のお湯を供給するに足る容量を有している。貯湯タンク９には、詳細を省略するが内部に水を供給する水供給弁が設けられるとともに、内部清掃等を行う際に用いられる水抜き弁も設けられている。貯湯タンク９には、循環パイプ１８の一端部が接続されるとともに、循環ポンプ１９を介してこの循環パイプ１８の他端部が接続されている。貯湯タンク９には、給湯パイプ２５の一端部が接続されている。
【００２４】
給湯ポンプ１０は、貯湯タンク９から洗浄槽８にお湯を供給するポンプであり、入力部に給湯パイプ２５の他端部が接続されている。給湯ポンプ１０には、出力部に給湯ホースリール１６に巻回された給湯ホース１６ａが接続される。給湯ポンプ１０は、湯灌車１から降ろされて適宜の場所に設置された洗浄槽８に給湯ホースリール１６から引き出された給湯ホース１６ａが接続された状態で、コントロールボックス６を介して駆動信号が出力されることにより貯湯タンク９から洗浄槽８内にお湯を供給する。給湯ポンプ１０は、所定量のお湯を供給することによって、コントロールボックス６からの出力信号によりお湯の供給動作を停止する。
【００２５】
給湯ホースリール１６は、リールの外周部に所定長さの給湯ホース１６ａを巻回しており、リール芯から引き出した図示しない給湯パイプが給湯ポンプ１０と接続される。給湯ホースリール１６は、図示しないハンドルによりリールを回転操作することによって、引き出した給湯ホース１６ａを簡単に巻き取ることを可能とする。
【００２６】
第２加熱回路２２は、図３に示すように、ヒータ１１と熱交換器１４との間を循環するようにして配管された適宜の熱伝導閉回路であり、循環ポンプ１９によって熱交換液が内部を循環する銅パイプの一部を、ヒータ１１によって加熱されて昇温し、熱交換器１４内において放熱して再びヒータ１１へと循環する。
【００２７】
第１排水タンク１２と第２排水タンク１５には、遺体の洗浄を完了した洗浄槽８内から排水された汚水が貯留される。第１排水タンク１２及び第２排水タンク１５も、耐腐食特性に優れた例えばステンレス材等によって形成され、洗浄槽８内に供給したお湯を回収して貯留するに足る容量を有している。第１排水タンク１２及び第２排水タンク１５は真空ポンプ５の入力部と接続されている。
【００２８】
第１排水タンク１２或いは第２排水タンク１５は、真空ポンプ５の作動により内部気圧が負圧状態にされると共に、入力部に排水ホースリール１３に巻回された排水ホース１３ａが接続され、汚水弁が開常態になることによって、排水ホース１３ａを介して洗浄槽８内から汚水が第１排水タンク１２或いは第２排水タンク１５に吸い込まれる。排水ホースリール１３は、リールの外周部に所定長さの排水ホース１３ａを巻回しており、図示しないハンドルによりリールを回転操作することによって、引き出した排水ホース１３ａを簡単に巻き取ることを可能とする。
【００２９】
排水ホース１３ａは、遺体の洗浄を完了すると、排水ホースリール１３から引き出されて先端部を洗浄槽８の水抜き弁と接続する。排水ホース１３ａは、水抜き弁が開放操作された状態で第１排水タンク１２及び第２排水タンク１５内が負圧状態にされていることにより、洗浄槽８内から汚水を抜き取る。排水ホース１３ａは、例えば特に薬品等が用いられない一般の介護用入浴等に使用した場合に、汚水を直接下水に流すようにしてもよい。
【００３０】
熱交換器１４には、市販されている小型かつ薄型で熱交換効率が極めて大きいプレート型熱交換器が用いられる。熱交換器１４は、内部に加熱回路と被加熱回路とを組み合わせて設け、加熱回路側の熱を被加熱回路側へと伝導する。熱交換器１４は、上述したように下部空間部７内に独立して配置されており、加熱回路に第１加熱回路２１と第２加熱回路２２とが接続されるとともに、被加熱回路側に貯湯タンク９と接続された循環パイプ１８が接続される。
【００３１】
したがって、熱交換器１４は、ヒータ１１或いはラジエター２０を熱源として循環パイプ１８によって引き込まれた貯湯タンク９の湯水を加温する。熱交換器１４は、小型かつ薄型で貯湯タンク９の外部に設置したことにより、湯灌車１内において上述した構成各装置を組立性やメンテナンス性を考慮して車内に最適にレイアウトして設置することを可能とする。熱交換器１４は、大きな熱交換効率特性を有することにより、貯湯タンク９の容量を確保して充分な量のお湯が貯湯されるようにし、現場において最適温度のお湯が直ぐに洗浄槽８に供給することを可能とする。
【００３２】
湯温検知器１７は、貯湯タンク９内に設けられることによって、貯湯されたお湯の温度を検出してコントロールボックス６に出力する。コントロールボックス６は、湯温検知器１７からの出力値と予め設定した温度値とを比較し、出力値が設定値よりも低いと判断した場合に循環ポンプ１９に対して駆動信号を出力する。
【００３３】
以上のように構成された湯灌車１においては、出動に際して貯湯タンク９内に水が補給される。湯灌車１においては、循環ポンプ１９によって貯湯タンク９から送り出されたお湯や水が循環パイプ１８を介して熱交換器１４へと供給される。湯灌車１においては、熱交換器１４おいて第１加熱回路２１から加えられる第１熱源或いは第２加熱回路２２から加えられる第２熱源によってお湯への加温が行われ、貯湯タンク９内へと環流することにより所定温度のお湯が貯湯される。
【００３４】
湯灌車１においては、図４に示すように湯温検知器１７によって貯湯タンク９内のお湯の温度が検出され、この湯温検知器１７からコントロールボックス６に対して検出値ｔ１が出力される（ステップｓ−１）。湯灌車１においては、コントロールボックス６内で、入力された検出値ｔ１と予め設定された設定値ｔ０との比較が行われる（ステップｓ−２）。湯灌車１においては、検出値ｔ１が設定値ｔ０よりも小さい状態、すなわち貯湯タンク９内に所定温度のお湯が貯湯されていない場合に、コントロールボックス６から循環ポンプ１９に対して起動信号が出力される。湯灌車１においては、循環ポンプ１９によって循環パイプ１８を介して貯湯タンク９から熱交換器１４へとお湯の循環が行われる（ステップｓ−３）。
【００３５】
湯灌車１においては、冬期及び寒冷地方、または走行距離が短い地域での運行などでラジエター２０を第１熱源とする第１加熱回路のみでの熱交換では、貯湯タンク９内の湯水が所定の湯温に達しない場合がある。この場合、あらかじめヒータ１１の電源を入れておくことで、コントロールボックス６からの起動信号により循環ポンプ１９が作動した際に、第１加熱回路２１と同時に、ヒータ１１を第２熱源とする第２加熱回路２２にも有効となり、第１加熱回路２１により加温された被加熱回路である循環パイプ１８内を流れる湯水は、第２加熱回路２２によってさらに加温され、所定の湯温に達するまで循環する。
【００３６】
湯灌車１においては、目的地までの間も上述した各工程が行われることにより、貯湯タンク９内に所定温度のお湯が常時貯湯されるようになる。湯灌車１においては、目的地に到達して車内から柩４とともに洗浄槽８が降ろされて室内に運び込まれ、所定の場所に設置した洗浄槽８内に必要な量のお湯が直ちに供給される。湯灌車１においては、給湯ホースリール１６から引き出された給湯ホース１６ａが洗浄槽８と接続される。湯灌車１においては、給湯ポンプ１０が駆動されることによって、給湯ホース１６ａからの給湯が行われる。湯灌車１においては、洗浄槽８内に所定量のお湯を供給した状態で、洗浄槽８から外された給湯ホース１６ａが給湯ホースリール１６に巻き取られる。
【００３７】
湯灌車１においては、所定の手順を経て「湯灌の儀」を終えて遺体が納棺されると、排水ホールリール１３から引き出された排水ホース１３ａが洗浄槽８と接続される。湯灌車１においては、真空ポンプ５が駆動されることによって、洗浄槽８内から排水ホース１３ａを介して汚水が抜き取られて第１排水タンク１２或いは第２排水タンク１５に貯留される。湯灌車１においては、洗浄槽８内から汚水を抜き取った状態で、洗浄槽８から外された排水ホース１３ａが排水ホールリール１３に巻き取られる。
【００３８】
なお、湯灌車１は、上述したように各種の用途に用いられる。
【図面の簡単な説明】
【００３９】
【図１】実施の形態として示す湯灌車の要部平面図であり、上部空間部内における各装置の配置状態を示す。
【図２】同湯灌車の要部平面図であり、下部空間部内における各装置の配置状態を示す。
【図３】同湯灌車の各ブロック間を接続する配管及び信号経路を示す要部ブロック図である。
【図４】貯湯タンクに所定の温度のお湯を貯湯する加温操作の工程図である。
【符号の説明】
【００４０】
１        湯灌車
２        天板
３        上部空間部
４        柩
５        真空ポンプ
６        コントロールボックス
７        下部空間部
８        洗浄槽
９        貯湯タンク
１０      給湯ポンプ
１１      ヒータ
１２      第１排水タンク
１３      排水ホースリール
１４      熱交換器
１５      第２排水タンク
１６      給湯ホースリール
１７      温度検知器
１８      循環パイプ
１９      循環ポンプ
２０      ラジエター
２１      第１加熱回路
２２      第２加熱回路
２５      給湯パイプ
【図１】
0003106149.tif 000003
【図２】
0003106149.tif 000004
【図３】
0003106149.tif 000005
【図４】
0003106149.tif 000006